【事件の表示】
　特願２００８−　４０１２７「キー入力装置、方法、プログラム及び移動通信端末装置」拒絶査定不服審判事件〔平成２１年　９月　３日出願公開、特開２００９−１９９３２３〕について、次のとおり審決する。
【結　論】
　本件審判の請求は、成り立たない。
【理　由】
第１　手続きの経緯
　本願は、平成２０年２月２１日を出願日とする出願であり、平成２４年８月２３日付けで拒絶査定がなされ、それに対して同年１１月９日に拒絶査定不服の審判請求がなされるとともに手続補正書が提出されたものである。
　　　
第２　補正却下の決定
　平成２４年１１月９日に提出された手続補正書による補正の却下の決定
　　
（１）［補正却下の決定の結論］
　平成２４年１１月９日に提出された手続補正書による補正（以下、「本件補正」という。）を却下する。
　　
（２）［補正却下の決定の理由］
（ａ）補正の内容
　本件補正によると、その特許請求の範囲の請求項１は、
「文字の入力を行うキー入力装置において、
　複数のキーを表示し、表示された各キーの指のタッチ後に、タッチしたキーから指の移動するＸ方向の移動量及びＹ方向の移動量を検出するタッチパネルと、
　前記タッチパネルの各キーに対して前記タッチパネル上の指のＸ方向の移動量及びＹ方向の移動量をパラメータとして、ひらがなの各行の文字、さらに、ひらがなの各行の文字の濁音文字、半濁音文字、小文字及び促音文字を含む属性文字をテーブルにして保存する指移動量／入力文字対応情報保存部と、
　前記タッチパネル上で指がタッチしたキーの位置、指がキーにタッチした後指が移動したＸ方向の移動量及びＹ方向の移動量が検知された結果に基づき前記指移動量／入力文字対応情報保存部から対応する文字を読み出し、読み出した文字を表示部に表示し、前記タッチパネル部から指を離すことで前記表示部に表示された文字を入力文字と確定する文字入力処理部とを備えることを特徴とするキー入力装置。」
と補正されている。　
　　　
　上記補正は、本件補正前の請求項１に記載された「指の移動するＸ方向及びＹ方向の移動量を検出する」、「前記タッチパネルの前記タッチパネル上の指のＸ方向及びＹ方向の移動量をパラメータとして」、「前記タッチパネルで指がタッチしたキーの位置」を、それぞれ「タッチしたキーから指の移動するＸ方向の移動量及びＹ方向の移動量を検出する」、「前記タッチパネルの各キーに対して前記タッチパネル上の指のＸ方向の移動量及びＹ方向の移動量をパラメータとして」、「前記タッチパネル上で指がタッチしたキーの位置」とするものであり、本件補正は、特許法第１７条の２第５項第２号に規定する特許請求の範囲の減縮を目的とするものに該当する。
　そこで、本件補正後の前記請求項１に記載された発明（以下、「本願補正発明」という。）が、特許出願の際独立して特許を受けることができるものであるか（特許法第１７条の２第６項において準用する同法第１２６条第７項の規定に適合するか）否かについて以下検討する。
　
（ｂ）引用文献
　原査定の拒絶の理由に引用された特開２００７−３１６７３２号公報（以下、「引用文献」という。）には、図とともに次のような記載がある。
（ア）「【００６３】
　［文字入力方式の概略］
　携帯電話機３０の内部構成の詳細については後述することにして、最初に本実施の形態に係る携帯電話機３０における入力方式について説明する。携帯電話機３０は、全画面液晶タッチパネル４６を採用した関係上、画面を縦型にも横型にも配置することができる。そのため、図１及び図２に示すように、入力のためのキーを装置の使用方向に応じて適切なところに配置できる。このキーは、ＬＣＤ４８上のキー表示と、静電容量式タッチパネル４９による指の位置の検知機能とを用いた、ソフトウエアテンキーである。
【００６４】
　全画面表示を採用したため、数字キーだけでなく、文字入力のキーも別途表示することは可能である。しかし、そのようにすると画面のかなりの範囲が文字入力のためのキーで占有され、情報の表示に支障を来たす。その上、図３に示すように、携帯電話機３０において、テキストを入力する際には、ユーザは、携帯電話機３０を片手で保持しながら、同じ手でソフトウエアテンキー６０を操作することが予想される。そのため、あまり多くのキーを配置すると入力しづらくなってしまう可能性が高い。なお、携帯電話機３０における文字入力時の画面表示はアプリケーションにより様々なものを実現できる。例えば図３に示す表示の場合、画面情報にテキスト入力フィールド６２を設けておき、下方に表示されたソフトウエアテンキー６０を用いて一文字ずつ入力すると、その文字がテキスト入力フィールド６２に表示される。こうして入力されたかな文字列に対しさらに仮名漢字変換を行なうことで、仮名漢字交じりのテキストを入力できる。
【００６５】
　本実施の形態では、テキスト入力時には、図４に示すように、ソフトウエアテンキー６０として「あかさたなはまやらわ」という文字を所定の配列で表示する。これら文字は一つの文字の集合を形成しているが、各々の文字もまた、後述するようにそれぞれある文字の集合（本明細書では「文字セット」と呼ぶ。）の代表文字となっている。ここではこのように代表文字を所定の配置で表示することを代表文字表示と呼ぶ。例えば、「あ」という文字表示は「あいうえお」という５文字と、「ぁぃぅぇぉ」という５文字、合計１０文字からなる「あ」行の文字セットの代表文字である。そして、ユーザが指６６でこの代表文字のいずれかに触れることによって、その文字セットが入力文字セットとして選択される。そして、選択された文字セットの先頭文字（「あ行」の文字セットの場合には「あ」）が、指６６が触れた部分の近傍に文字候補表示７０として表示される。同時に、テキスト入力フィールド６２の文字入力位置にも文字候補７２として表示される。」（段落【００６３】〜【００６５】）
　　
（イ）「【００６８】
　さらに、本実施の形態では、図４に示されるようにある代表文字に触れた後、その指を全画面液晶タッチパネル４６から離さずドラッグすると、ドラッグした軌跡に沿って測った距離に応じて選択中の文字候補が変化する。すなわち、図４に示す位置から図５に示す位置まで指６６が移動（ドラッグ）したものとする。この場合、指６６の軌跡に沿った移動量がある第１のしきい値より大きくなると、図５に示すように、指６６の近傍に表示される文字候補表示７４が「あ」から「い」に変化し、テキスト入力フィールド６２の入力位置に表示される文字候補７６も「あ」から「い」に変化する。
【００６９】
　さらに指６６をドラッグして図６に示す位置となったとする。この場合、指６６の移動量が第２のしきい値より大きくなった時点で、指６６の近傍の文字候補表示７８及びテキスト入力フィールド６２に表示される文字候補８０は「う」に変化する。以下同様である。
【００７０】
　最初に触れる文字が「か」のときは、同様にしてか行の文字が、「さ」のときはさ行の文字が、それぞれ指６６によるドラッグの軌跡に沿った移動距離に応じて順番に交替的に、指６６の近傍に表示される。
【００７１】
　図７に示すように指６６が全画面液晶タッチパネル４６から離れると、そのときに指６６の近傍に表示されていた文字候補、すなわちテキスト入力フィールド６２に表示されていた文字候補８０が、入力文字として選択されテキスト入力フィールド６２の入力位置に入力される。入力位置は一つ進み、さらに次の文字の入力が可能になる。
【００７２】
　図８に、「あ」行の文字を入力する際の指６６近傍に表示される文字候補表示の変化を示す。ドラッグ開始点からの、指６６のドラッグ軌跡に沿った距離（以下「ドラッグ距離」）をＤとする。指６６が代表文字「あ」に触れると、そのすぐ近傍（図８の場合には直上）に、文字候補表示７０（「あ」）が表示される。指６６が軌跡９０に沿って移動していき、ドラッグ距離Ｄが第１のしきい値となるまでは、文字候補表示７０（「あ」）が指６６の上に引き続いて表示される。ドラッグ距離Ｄが第１のしきい値となると、文字候補表示は文字候補表示７４（「い」）に変化する。ドラッグ距離Ｄが第２のしきい値となるまでは、文字候補表示７４（「い」）が指６６の上に表示され、指６６とともに移動する。ドラッグ距離Ｄが第２のしきい値となると、文字候補表示は文字候補表示７８（「う」）に変化し、指６６の上に表示される。以下同様に、ドラッグ距離Ｄが順に所定のしきい値となるたびに、文字候補は、文字候補表示９４（「え」）、９６（「お」）、さらに「ぁ」「ぃ」「ぅ」「ぇ」「ぉ」と変化していく。
【００７３】
　本実施の形態では、所定の固定値を設け、この固定値の整数倍をしきい値とする。各文字セット内の順番にしたがい、最初の文字には０をしきい値として割当てる。２番目の文字には固定値自体をしきい値として割当てる。３番目の文字には固定値の２倍をしきい値として割当てる。以下同様である。文字入力時には、ドラッグ距離Ｄより小さなしきい値が割当てられた文字のうち、最も大きなしきい値が割当てられた文字を文字候補とする。すなわち、文字候補は、ドラッグ距離Ｄの値によって一通りに定まるという意味で、ドラッグ距離Ｄの関数として定められる。
【００７４】
　図９に、ドラッグの方向をそれまでの方向とほぼ反対方向に変化させたとき（折返したとき）の文字候補の表示の変化を示す。図９を参照して、このドラッグ軌跡１００は、緩やかに弧を描く前半部分１０２と、急峻な頂点１０６を介して前半部分１０２とほぼ反対方向に折り返された後半部分１０４とからなる。この場合、前半部分１０２の部分では、図８を参照して説明したとおりの表示となるが、後半部分１０４の部分では、後半部分１０４での文字候補表示を丁度逆方向にたどる形で文字候補の選択及び表示順序が変化する。」（段落【００６８】〜【００７４】）
　　　　　
（ウ）「【００７７】
　図１１を参照して、文字種を変更する際にはユーザは、それまでのドラッグ軌跡１５２の方向から見て、ほぼ直角をなすような方向にドラッグ方向を変化させる。図１１の例では、ドラッグ軌跡は、点１５４でほぼ直角をなして上方向に変化し、新たなドラッグ軌跡１５６に変化している。このようにドラッグ方向がほぼ直角に変化した際には、本実施の形態に係る携帯電話機３０は、文字種を変化させる。例えばひらがな入力時にはカタカナに文字種を変化させ、カタカナ入力時にはひらがな入力に文字種を変化させる。数字の場合は、数を１だけ増加させる。英字（大文字）の入力時には英字（小文字）に文字種を変化させ、英字（小文字）の入力時には英字（大文字）に文字種を変化させる。」（段落【００７７】）
　　
（エ）「【００８２】
　図１３に、本実施の形態に係る携帯電話機３０で使用する文字セット２２０を表形式で示す。図１３を参照して、文字セット２２０は、文字種により分類されている。文字種には、前述したとおり、ひらがな、カタカナ、数字、英字（大文字）、英字（小文字）及び記号の６種類がある。
【００８３】
　ひらがなの文字セットは、「あ」行から「わ」行までの１０個の文字セットを含む。カタカナの文字セットも、同様に１０個の文字セットを含む。これらの文字セットが含む文字については図１３に示してある。各文字セットの代表文字は、各行の先頭文字である。　
【００８４】
　数字の文字セットは、１〜０までの１０個の文字セットを含む。図１３では明確には分からないが、数字の各文字セットは、半角の数字と全角の数字とを含む。代表文字は半角の数字である。
【００８５】
　英字（大文字）の文字セットは、それぞれ「ＡＢＣ」「ＤＥＦ」〜「ＶＷＸ」及び「ＹＺ」で表される、全部で９個の文字セットを含む。これら文字セットにおいては、それぞれ最初に半角のアルファベットが上記した順番で並び、その後に全角のアルファベットが同じ順番で並ぶ。」（段落【００８２】〜【００８５】）
　　　
（オ）「【００８７】
　図１４に、本実施の形態においてドラッグの軌跡を符号化する際の符号について説明する。本実施の形態では、全画面液晶タッチパネル４６上に規定される座標系において、図１４に示すような１６方向を想定する。図１４では、説明を容易にするために、真上を向く方向を基準とし、時計回りに３６０度を１６等分する。真上の方向に「１」という番号を付け、その右側の方向に「２」という番号を付け、以下同様にして、１６番まで、各方向に番号を付ける。そして、ある時点でのドラッグ座標と、次の時点でのドラッグ座標とを結んでできる線分（以下これを「セグメント」と呼ぶことにする。）の方向を、この１６個の方向で近似し、各セグメントに番号を付ける。
【００８８】
　こうしてセグメントの方向を符号化することにより、以下のようにして方向の変化を検出することができる。
【００８９】
　図１５を参照して、ドラッグ軌跡２３０は、４つのセグメント２４０、２４２、２４４及び２４６を含む。セグメント２４０の方向は、図１４に示す符号化によれば、「３」に符号化される。同様にして、セグメント２４２，２４４及び２４６は、それぞれ４，５，１３に符号化される。セグメントとセグメントとの間の方向の違いは、この符号の差の絶対値により検出することができる。本実施の形態では、先行するセグメントと後続するセグメントとの方向の符号の差の絶対値が７以上９以下のときに、ドラッグ方向が逆向きに変化したものと判定する。また、先行するセグメントと後続するセグメントの符号の差の絶対値が３以上５以下又は１１以上１３以下の範囲のときに、ドラッグ方向が直角に変化したものと判定する。」（段落【００８７】〜【００８９】）
　　　　
（カ）図１３には、代表文字が「は」であるひらがなの文字セットは、「は」、「ひ」、「ふ」、「へ」、「ほ」、「ば」、「び」、「ぶ」、「べ」、「ぼ」、「ぱ」、「ぴ」、「ぷ」、「ぺ」、「ぽ」の１５個の文字であり、代表文字が「や」であるひらがなの「文字セット」は、「や」、「ゆ」、「よ」、「ゃ」、「ゅ」、「ょ」の６個の文字であることが示されている。　　　　　
　以上の記載によれば、引用文献には、以下のような発明（以下、「引用発明」という。）が開示されていると認められる。
「全画面液晶タッチパネル４６に、ソフトウエアテンキー６０として「あかさたなはまやらわ」という代表文字を所定の配列で表示し、
　ひらがなの文字セットは、「あ」行から「わ」行までの１０個の文字セットを含み、カタカナの文字セットも、同様に１０個の文字セットを含み、各文字セットの代表文字は、各行の先頭文字であり、例えば、「あ」という文字表示は「あいうえお」という５文字と、「ぁぃぅぇぉ」という５文字、合計１０文字からなる「あ」行の文字セットの代表文字であり、
　ユーザが指６６で表示された代表文字のいずれかに触れることによって、その文字セットが入力文字セットとして選択され、選択された文字セットの先頭文字が、指６６が触れた部分の近傍に文字候補表示７０として表示され、同時に、テキスト入力フィールド６２の文字入力位置にも文字候補７２として表示され、
　ドラッグ開始点からの、指６６のドラッグ軌跡に沿ったドラッグ距離をＤとし、例えば、指６６が代表文字「あ」に触れると、そのすぐ近傍に、文字候補表示７０（「あ」）が表示され、指６６が軌跡９０に沿って移動していき、ドラッグ距離Ｄが第１のしきい値となるまでは、文字候補表示７０（「あ」）が指６６の上に引き続いて表示され、ドラッグ距離Ｄが第１のしきい値となると、文字候補表示は文字候補表示７４（「い」）に変化し、ドラッグ距離Ｄが第２のしきい値となるまでは、文字候補表示７４（「い」）が指６６の上に表示され、指６６とともに移動し、ドラッグ距離Ｄが第２のしきい値となると、文字候補表示は文字候補表示７８（「う」）に変化し、指６６の上に表示される。以下同様に、ドラッグ距離Ｄが順に所定のしきい値となるたびに、文字候補は、文字候補表示９４（「え」）、９６（「お」）、さらに「ぁ」「ぃ」「ぅ」「ぇ」「ぉ」と変化していき、最初に触れる文字が「か」のときは、同様にしてか行の文字が、「さ」のときはさ行の文字が、それぞれ指６６によるドラッグの軌跡に沿った移動距離に応じて順番に交替的に、指６６の近傍に表示され、すなわち、所定の固定値の整数倍をしきい値とし、各文字セット内の順番にしたがい、最初の文字には０をしきい値として割当て、２番目の文字には固定値自体をしきい値として割当て、３番目の文字には固定値の２倍をしきい値として割当て、以下同様とし、文字入力時には、ドラッグ距離Ｄより小さなしきい値が割当てられた文字のうち、最も大きなしきい値が割当てられた文字を文字候補とし、
　指６６が全画面液晶タッチパネル４６から離れると、そのときに指６６の近傍に表示されていた文字候補、すなわちテキスト入力フィールド６２に表示されていた文字候補８０が、入力文字として選択されテキスト入力フィールド６２の入力位置に入力され、
　ある時点でのドラッグ座標と、次の時点でのドラッグ座標とを結んでできるセグメントの方向を、例えば、真上を向く方向を基準とし、時計回りに３６０度を１６等分する１６個の方向で近似し、各セグメントに番号を付けてセグメントの方向を符号化することにより、方向の変化を検出することができ、ドラッグ方向がほぼ直角に変化した際には、文字種を変化、例えば、ひらがな入力時にはカタカナに文字種を変化させ、カタカナ入力時にはひらがな入力に文字種を変化させることを特徴とする携帯電話機における文字入力方式。」
　　
（ｃ）対比
　本願補正発明と引用発明とを対比する。
（ア）引用発明の「携帯電話機における文字入力方式」は、全画面液晶タッチパネル４６に表示したソフトウエアテンキー６０を使用して文字を入力するものであるから、本願補正発明の「文字の入力を行うキー入力装置」に相当するといえる。
　　
（イ）引用発明の「全画面液晶タッチパネル４６」は、代表文字を所定の配列でソフトウエアテンキー６０として表示し、最初に触れる代表文字からのドラッグ距離Ｄを検出しており、本願補正発明の「複数のキーを表示し、表示された各キーの指のタッチ後に、タッチしたキーから指の移動するＸ方向の移動量及びＹ方向の移動量を検出するタッチパネル」と、「複数のキーを表示し、表示された各キーの指のタッチ後に、タッチしたキーから指の移動する移動量を検出するタッチパネル」である点で共通するといえる。
　　　　
（ウ）引用発明の「ひらがなの文字セット」は、「あ」行から「わ」行までの１０個の文字セットを含んでおり、図１３（記載事項（カ））を参照すれば、本願補正発明の「ひらがなの各行の文字、さらに、ひらがなの各行の文字の濁音文字、半濁音文字、小文字及び促音文字を含む属性文字」に相当するといえる。
　　　
（エ）引用発明の「ユーザが指６６で表示された代表文字のいずれかに触れることによって、その文字セットが入力文字セットとして選択され」、「所定の固定値の整数倍をしきい値とし、各文字セット内の順番にしたがい、最初の文字には０をしきい値として割当て、２番目の文字には固定値自体をしきい値として割当て、３番目の文字には固定値の２倍をしきい値として割当て、以下同様とし」の構成は、各文字セット内の文字に「ドラッグ距離Ｄ」を「しきい値」として順番に割当てるものであり、引用発明の「文字セット」は保存部に保存されていることは明らかであるから、その保存部は、本願補正発明の「各キーに対して前記タッチパネル上の指のＸ方向の移動量及びＹ方向の移動量をパラメータとして、ひらがなの各行の文字、さらに、ひらがなの各行の文字の濁音文字、半濁音文字、小文字及び促音文字を含む属性文字をテーブルにして保存する指移動量／入力文字対応情報保存部」と「各キーに対して前記タッチパネル上の指の移動量に対応付けられる、ひらがなの各行の文字、さらに、ひらがなの各行の文字の濁音文字、半濁音文字、小文字及び促音文字を含む属性文字を保存する入力文字対応情報保存部」である点で共通するといえる。
　　
（オ）引用発明の「文字入力時には、ドラッグ距離Ｄより小さなしきい値が割当てられた文字のうち、最も大きなしきい値が割当てられた文字を文字候補とし、指６６が全画面液晶タッチパネル４６から離れると、そのときに指６６の近傍に表示されていた文字候補、すなわちテキスト入力フィールド６２に表示されていた文字候補８０が、入力文字として選択されテキスト入力フィールド６２の入力位置に入力される」構成は、本願補正発明の「前記タッチパネル上で指がタッチしたキーの位置、指がキーにタッチした後指が移動したＸ方向の移動量及びＹ方向の移動量が検知された結果に基づき前記指移動量／入力文字対応情報保存部から対応する文字を読み出し、読み出した文字を表示部に表示し、前記タッチパネル部から指を離すことで前記表示部に表示された文字を入力文字と確定する文字入力処理部」と「前記タッチパネル上で指がタッチしたキーの位置、指がキーにタッチした後指が移動した移動量が検知された結果に基づき前記入力文字対応情報保存部から対応する文字を読み出し、読み出した文字を表示部に表示し、前記タッチパネル部から指を離すことで前記表示部に表示された文字を入力文字と確定する文字入力処理部」である点で共通するといえる。
　　
　したがって、両者は、
「文字の入力を行うキー入力装置において、
　複数のキーを表示し、表示された各キーの指のタッチ後に、タッチしたキーから指の移動する移動量を検出するタッチパネルと、
　前記タッチパネルの各キーに対して前記タッチパネル上の指の移動量に対応付けられる、ひらがなの各行の文字、さらに、ひらがなの各行の文字の濁音文字、半濁音文字、小文字及び促音文字を含む属性文字を保存する入力文字対応情報保存部と、
　前記タッチパネル上で指がタッチしたキーの位置、指がキーにタッチした後指が移動した移動量が検知された結果に基づき前記入力文字対応情報保存部から対応する文字を読み出し、読み出した文字を表示部に表示し、前記タッチパネル部から指を離すことで前記表示部に表示された文字を入力文字と確定する文字入力処理部とを備えることを特徴とするキー入力装置。」
で一致するものであり、次の（１）、（２）の点で相違している。
　　　
＜相違点＞　　　
（１）本願補正発明は、タッチパネルが「タッチしたキーから指の移動するＸ方向の移動量及びＹ方向の移動量を検出する」のに対し、引用発明は、「全画面液晶タッチパネル４６」が、そのような検出をすることは明記されていない点。
　　　
（２）本願補正発明の「入力文字対応情報保存部」は、「各キーに対して前記タッチパネル上の指のＸ方向の移動量及びＹ方向の移動量をパラメータとして、ひらがなの各行の文字、さらに、ひらがなの各行の文字の濁音文字、半濁音文字、小文字及び促音文字を含む属性文字をテーブルにして保存する指移動量／入力文字対応情報保存部」であって、文字入力処理部は、「指がキーにタッチした後指が移動したＸ方向の移動量及びＹ方向の移動量が検知された結果に基づき前記指移動量／入力文字対応情報保存部から対応する文字を読み出」しているのに対し、引用発明の「入力文字セット」の保存部は、Ｘ方向の移動量及びＹ方向の移動量をパラメータとするテーブルではなく、Ｘ方向の移動量及びＹ方向の移動量が検知された結果に基づき、対応する文字を読み出すものではない点。
　　　
（ｄ）当審の判断
・相違点（１）について
　引用発明は、「ある時点でのドラッグ座標と、次の時点でのドラッグ座標とを結んでできるセグメントの方向を、例えば、真上を向く方向を基準とし、時計回りに３６０度を１６等分する１６個の方向で近似し、各セグメントに番号を付けてセグメントの方向を符号化することにより、方向の変化を検出する」から、「全画面液晶タッチパネル４６」がタッチしたキーから指の移動するＸ方向の移動量及びＹ方向の移動量を検出しているともいえる。
　したがって、この点は実質的な相違点ではない。
　　　　　
・相違点（２）について
　キーにタッチした後、指等の移動したＸ方向の移動量及びＹ方向の移動量が検知された結果に基づき複数の選択候補文字から文字を選択することは、本出願の出願日前周知の技術（例えば、特開２００７−１９３４６５号公報、段落【００７１】、【００７２】「例えば、図１３に示したように、「あ行」が割り当てられた領域を「始点」としてタッチした場合、選択候補として「あいうえお」だけでなく、小文字の「ぁぃぅぇぉ」やカタカナ「アイウエオ」やカタカナの小文字「ァィゥェォ」も同時にマトリックス状に表示させる。そして、入力手段１を上下にスライドさせると、カーソルも上下に移動するので同種類の候補を選択することができる。また、入力手段１を左右方向にスライドさせるとカーソルも左右方向に移動するので、異種の候補を選択することができる。例えば、カタカナの「ウ」を選択するときには、入力手段１を「う」まで下方にスライドさせ、入力手段１を右方向にカタカナの「ウ」までスライドさせて、タッチを開放することで確定する。【００７２】このように、タッチパッド１１の情報入力領域２１の任意の領域に多数の候補が割り当てられている場合、その候補群をマトリックス状３３に表示し、入力手段１をスライドさせる方向を縦・横組み合わせて、カーソルを移動させ、目的とする文字や、記号、絵文字などの候補を選択できる。」、特開２０００−３３０７０４号公報、段落【００１２】「・　文字変更操作検出手段は、マウス、タッチパネル、カーソルの座標入力操作における座標を取得し、座標入力操作の開始座標を原点とした操作ベクトルを生成し、操作ベクトルにより文字変更操作の有無を検出する。・・・中略・・・　文字変更操作検出手段は、操作ベクトルによる文字変更操作の有無を検出において、Ｘ軸の正方向、負方向、Ｙ軸の正方向、負方向の４つ方向の内、少くとも２つの方向に対する操作ベクトルに対し、それぞれ別々の文字属性変更操作の有無を検出する。」、段落【００１８】「さらに、操作入力手段１１は、マウスにおけるボタンダウン状態での座標指示操作や、タッチパネルにおけるタッチ状態での座標指示操作などの座標入力操作による入力を行う座標入力手段である。文字変更操作検出手段１４２１は、操作入力手段１１の座標入力操作における座標を取得し、座標入力操作の開始座標を原点とした操作ベクトルを求め、操作ベクトルにより文字変更操作の有無を検出する。さらに、文字変更操作検出手段１４２１は、操作ベクトルの、Ｙ成分の正方向の値、Ｘ成分の正方向の値、Ｘ成分の負方向の値、Ｙ成分の負方向の値、により、それぞれ、母音属性、濁点等属性、大文字小文字属性、全角半角属性、字種属性等、属性の変更操作の有無を検出する。」、段落【００２１】「図３は、本発明の実施の形態１の仮想キー式文字入力機能付き電子機器における母音属性変更操作による各表示空間上の表示状態遷移を示す。なお、図において、操作入力手段１１による座標入力操作に関する表示として、（１）はマウスによるボタンダウン、ボタンアップ、またはタッチパネルへのタッチ動作による座標入力操作の開始位置を示し、（４）は座標入力操作の終了位置を示し、実線は座標入力操作の軌跡、を示す。」（当審注：丸数字は（数字）で示している。）、段落【００２４】「ステップＳ３では、（２）の座標入力を確認した文字変更操作検出手段１４２１が、（１）を原点とした操作ベクトル（０，−Ｙ２）を生成し、操作ベクトルのＹ成分の負方向の値により“あ”の仮想文字キーに対する母音属性の文字変更操作の有りを検出し、これを確認した文字情報設定手段１４１が、文字情報を“い”に変更し、さらに、これを確認した文字情報表示手段１４３が、文字情報設定手段１４１での文字情報変更内容を表示に反映する。ステップＳ４では、（３）の座標入力を確認した文字変更操作検出手段１４２１が、（１）を原点とした操作ベクトル（Ｘ３，−Ｙ２）を生成し、操作ベクトルのＸ成分の正方向の値により“い”の仮想文字キーに対する大文字小文字属性の文字変更操作の有りを検出し、これを確認した文字情報設定手段１４１が、文字情報を“ぃ”に変更し、さらに、これを確認した文字情報表示手段１４３が、文字情報設定手段１４１での文字情報変更内容を表示に反映する。・・・中略・・・また、文字確定操作を確認した文字情報出力手段１４２２が、文字情報“ぃ”をアプリケーション処理手段１３へ出力し、これを確認したアプリケーション表示手段１３１が、文字情報出力手段１４１からの文字情報“ぃ”を表示に反映する。以上のように、この実施例においては、大文字小文字属性の変更操作はＸ軸正方向に対する操作ベクトルにより検出される。」（当審注：丸数字は（数字）で示している。）の記載参照。）である。
　また、移動方向、移動量に対応付けられた項目を記憶しているテーブル等から、対応する項目を読み出して選択することも、本出願の出願日前周知の技術（例えば、特開２００５−１８３１８号公報、段落【００３０】「文字選択手段２０２４は、出力文字領域記憶部２０３２に記憶している線分の方向と長さと、線分計算手段２０２３で計算した線分の方向と長さを比較して、選択されたソフトウェアキーボード上のキーに割り当てられている文字を選択する。尚、選択される文字は始点と終点の両方の位置のみで決まるためドローイングが直線的でなく曲線的で行われてもかまわない。」、段落【００４３】「出力文字領域記憶部２０３２は、ソフトウェアキーボード上に表示している「あ」「か」「さ」…などのキー（図９の９０１）ごとに、図８のように分割した線分の方向（図９の９０２）と、その方向に１０ピクセルドローしたときの文字情報（図９の９０３）と、その方向に２０ピクセルドローしたときの文字情報（図９の９０４）と、その方向に３０ピクセルドローしたときの文字情報（図９の９０５）と、をあらかじめ記憶している。」、段落【００４７】「出力文字領域記憶部２０３２には、ソフトウェアキーボード上に表示している「あ」「か」「さ」…などのキー（図９の９０１）ごとに、線分の方向（図９の９０２）、１０ピクセルドローしたときの文字（図９の９０３）、２０ピクセルドローしたときの文字（図９の９０４）と３０ピクセルドローしたときの文字（図９の９０５）を記憶しているので、文字選択手段２０２４は、記憶している線分の方向と移動量と、線分計算手段２０２３が計算した線分の方向と移動量とを比較して、どの文字情報が選択されたか識別でき、その文字を入力文字表示領域（図１１の１１０１）に表示する」の記載、特開２００７−２７２８４０号公報、段落【００４９】「たとえば、図２（ｂ）に示す入力部１０の左端（Menu Lの位置）が押された場合は、SubMenu L1〜L9のサブメニュー群が３行３列でポップアップ表示され、その中央位置であるSubMenu L5がハイライト表示される。次に加圧状態が解除されたか否かを判定して（Ｓ１０５）、解除されていない場合は（Ｓ１０５で「ＮＯ」）、移動方向検出手段１３からチャタリング防止手段３５を介して入力された移動方向データを入力して、移動方向が変化したか否かを判定する（Ｓ１０８）。移動方向が変化し、それが往復運動でない場合は（Ｓ１０９で「ＮＯ」）、ステップＳ１０４に戻って、メニュー選択テーブル４１を参照して選択されたその加圧位置、移動位置のサブメニュー項目をハイライト表示する。図２（ｂ）の例で、操作部材１１の左端が押された状態で左方向にスライドした場合、すなわち右水平方向を０°としたとき１８０°の方向に移動したことになるので、SubMenu L4が選択されハイライト表示される。」、段落【００５９】「図１３に示すように、タッチパッド等のように接近のまたは接触による静電容量等の電気量の変化や発光した光が指によって反射する光の受光量を測定することによって測定することができる。この接触または接近位置を測定し、接触してから離れるまでの指の移動方向、移動量を求めることによって、上記図６に示した手順でメニュー項目を選択するようにしてもよい。」の記載参照。）である。
　引用発明と上記周知技術は、ソフトウェアキー方式の入力装置において、複数の文字、項目のうちの任意の文字、項目を効率的に選択し入力できるようにするという技術的課題が共通するものである。
　したがって、引用発明において、上記周知技術を採用し、各キーに対して前記タッチパネル上の指のＸ方向の移動量及びＹ方向の移動量をパラメータとして、ひらがなの各行の文字、さらに、ひらがなの各行の文字の濁音文字、半濁音文字、小文字及び促音文字を含む属性文字をテーブルにして保存し、指がキーにタッチした後指が移動したＸ方向の移動量及びＹ方向の移動量が検知された結果に基づき保存部から対応する文字を読み出すようにすることは、当業者が容易になし得ることである。
　　
　また、本願補正発明の作用効果も、引用発明及び周知技術から、当業者であれば予想できる範囲内のものである。
　　
（ｅ）結論
　そうすると、本願補正発明は、引用発明に基づいて当業者が容易に発明をすることができたものであるから、特許法第２９条第２項の規定により、特許出願の際独立して特許を受けることができないものである。
　したがって、本件補正は、特許法第１７条の２第６項において準用する同法第１２６条第７項の規定に違反するので、同法第１５９条第１項において読み替えて準用する同法第５３条第１項の規定により却下すべきものである。
 　
第３　本願発明
　上記のとおり、上記本件補正は却下されたので、本願請求項１に係る発明（以下、「本願発明」という。）は、出願時における特許請求の範囲の請求項１に記載された事項により特定される、以下のとおりのものである。
「文字の入力を行うキー入力装置において、
　複数のキーを表示し、表示されたキーの指のタッチ後に、指の移動するＸ方向及びＹ方向の移動量を検出するタッチパネルと、
　前記タッチパネルのキー、前記タッチパネル上で指のＸ方向及びＹ方向の移動量をパラメータとして、ひらがなの各行の文字、さらに、ひらがなの各行の文字の濁音文字、半濁音文字、小文字及び促音文字を含む属性文字をテーブルにして保存する指移動量／入力文字対応情報保存部と、
　前記タッチパネルで指がタッチしたキーの位置、指がキーにタッチした後指が移動したＸ方向の移動量及びＹ方向の移動量が検知された結果に基づき前記指移動量／入力文字対応情報保存部から対応する文字を読み出し、読み出した文字を表示部に表示し、前記タッチパネル部から指を離すことで前記表示部に表示された文字を入力文字と確定する文字入力処理部とを備えることを特徴とするキー入力装置。」
　
第４　引用文献
　原査定の拒絶理由に引用された引用文献及びその記載事項は、前記「第２　（２）（ｂ）」に記載したとおりである。
　
第５　対比・判断
　本願発明は、前記「第２」で検討した本願補正発明の「タッチしたキーから指の移動するＸ方向の移動量及びＹ方向の移動量を検出する」、「前記タッチパネルの各キーに対して前記タッチパネル上の指のＸ方向の移動量及びＹ方向の移動量をパラメータとして」、「前記タッチパネル上で指がタッチしたキーの位置」を、それぞれ、「指の移動するＸ方向及びＹ方向の移動量を検出する」、「前記タッチパネルの前記タッチパネル上の指のＸ方向及びＹ方向の移動量をパラメータとして」、「前記タッチパネルで指がタッチしたキーの位置」とするものである。
　そうすると、本願発明の構成要件を全て含み、さらに限定したものに相当する本願補正発明が前記「第２」に記載したとおり、引用発明及び周知技術に基づいて、当業者が容易に発明をすることができたものであるから、本願発明も同様の理由により、引用発明に基づいて、当業者が容易に発明をすることができたものである。
　　
第６　むすび
　以上のとおり、本願発明は、引用発明及び周知技術に基づいて当業者が容易に発明をすることができたものであるから、特許法第２９条第２項の規定により、特許を受けることができない。
　したがって、本願は、その余の請求項について論及するまでもなく拒絶すべきものである。
　よって、結論のとおり審決する。